(57)【要約】【課題】マウスの操作により机の天板などで手を摺らないようにする。【解決手段】パーソナルコンピュータ等の情報処理装置のポインティングデバイスとして用いられるマウスＭに、少なくとも入力操作部たるボタン１１、１２を有する本体１と、下端部に位置し、移動方向を検知する移動方向検知部３と、手を載せることができる手置き部２とを具備させるとともに、前記手置き部２に手を載せたままマウスＭを移動させることができるように構成した。【選択図】図１
2004029865.tif 000002
【特許請求の範囲】
【請求項１】
パーソナルコンピュータ等の情報処理装置のポインティングデバイスとして用いられるものであって、少なくとも入力操作部を有する本体と、移動方向を検知する移動方向検知部と、手を載せることができる手置き部とを具備するとともに、前記手置き部に手を載せたままマウスを移動させることができるように構成していることを特徴とするマウス。
【請求項２】
前記手置き部が、シート状をなすことを特徴とする請求項１記載のマウス。
【請求項３】
前記手置き部の少なくとも手に当たる面である手置き面を軟質部材で構成していることを特徴とする請求項１又は２記載のマウス。
【請求項４】
前記本体の前端部が前方に向かって細くなっている形状をなすことを特徴とする請求項１、２、又は３記載のマウス。
【請求項５】
前記入力操作部をボタンを用いて構成するとともに、本体前部の下方に指を入れることのできる空間を設けていることを特徴とする請求項１、２、３、又は４記載のマウス。
【請求項６】
指を手前に引く動作によりボタンを押すことができるようにしていることを特徴とする請求項５記載のマウス。
【請求項７】
前記手置き部から前記本体を起立して設けるとともに、本体の上部に突出部を前方に突出させて設け、前記突出部の先端部にボタンを設けるとともに、前記突出部の下方に空間を設けている形状をなすことを特徴とする請求項５又は６記載のマウス。
【請求項８】
前記移動方向検知部の周辺に滑りやすい材料で構成した滑動部を設けていることを特徴とする請求項１、２、３、４、５、６、又は７記載のマウス。
【発明の詳細な説明】
【０００１】
【発明の属する技術分野】
本発明は、パーソナルコンピュータ等の情報処理装置のポインティングデバイスとして用いられるマウスに関する。
【０００２】
【従来の技術】
従来、パーソナルコンピュータ等のポインティングデバイスとして用いられるマウスは、側面視略半楕円形状をなすものが多く、その底面を机等の天板の板面に当てて用いられている。
【０００３】
【発明が解決しようとする課題】
しかし、このような形状のマウスを使用する際には、マウスを軽くグリップするとともに、手首、小指の外側にあたる部分、及び親指の外側にあたる部分を天板に当て、手首を天板に押し付けるような姿勢でマウスを移動させることが多い。このようなマウスを毎日長時間使いつづけると、手首、小指の外側にあたる部分、及び親指の外側を天板に擦りつづけるので、これらの部分にタコ等ができてしまう不具合が生じ得る。また、手首を天板に押し付けるような姿勢をとるので、手首に負荷がかかって腱鞘炎が引き起こされる等の不具合も生じ得る。
【０００４】
本発明は以上に述べた課題を解決すべく、手を擦らないようにし、また手首に余分な負荷をかけずにマウスの操作を行えるように構成したものである。
【０００５】
【課題を解決するための手段】
すなわち本発明に係るマウスは、パーソナルコンピュータ等の情報処理装置のポインティングデバイスとして用いられるものであって、少なくとも前部にボタンを有する本体と、移動方向を検知する移動方向検知部と、手を載せることができる手置き部とを具備するとともに、前記手置き部に手を載せたままマウスを移動させることができるように構成していることを特徴とする。
【０００６】
このように構成したものであれば、前記手置き部に手首や手を載せたままマウスを移動させることができるので、手を天板に擦らないようにようにできる。従って、タコを発生しにくくできるようになる。また、手置き部を、手首に係る負荷を吸収するように構成することで、腱鞘炎の発生を抑えるようにもできる。さらに、マウスをグリップしなくてもマウスを移動させることができ、手の不自由な人でも手置き部に手を載せるだけで操作を行うようにもできる。
【０００７】
このようなマウスの具体的な態様として、前記手置き部がシート状をなすものを挙げることができる。
【０００８】
このようなマウスを持つ姿勢に関らず使いやすくするには、前記手置き部の少なくとも手に当たる面である手置き面を軟質部材で構成すればよい。このようにすれば、マウスを持つ姿勢を変更しても、前記手置き面がそれにつれて変形し、マウスを持つ姿勢に関らず手置き部が手を支えるようにできるからである。そして、このような手置き部により手首に係る負荷を吸収させて、腱鞘炎の発生を効果的に抑えるようにもできる。
【０００９】
マウスの本体を持ちやすくするには、前記本体が前方に向かって細くなっている形状をなすようにすればよい。このようなものであれば、指の間を無理に広げることなくボタンに指を掛けることができるからである。
【００１０】
マウスの本体を持ちやすくするには、前記入力操作部をボタンを用いて構成するとともに、本体前部の下方に指を入れることのできる空間を設けてもよい。このようなものであれば、手が小さい人でも無理なくボタンに手を掛けた状態で操作できるサイズにするとともに、手が大きい人でも、前記ボタンに指を掛け、指の余った部分を前記空間に入れた状態でマウスを操作することができるので、手の大きさに関係なく快適にマウスを扱うことができるからである。
【００１１】
さらに、指を手前に引く動作によりボタンを押すことができるものであれば、前記ボタンに指を掛け、指の余った部分を前記空間に入れた状態でも、指を手前の位置に置きかえることなくボタンを押すことができるので、手の大きさに関係なく楽に操作を行うことができる。
【００１２】
このようなマウスの具体的な態様として、前記手置き部から前記本体を起立して設けるとともに、本体の上部に前方に突出した突出部を設け、前記突出部の先端部にボタンを設けるとともに、前記突出部の下方に空間を設けている形状をなすものを挙げることができる。
【００１３】
また、このようなマウスをより移動させやすくするとともに、前記移動方向検知部を埃等から保護できるようにするには、前記移動方向検知部の周辺に滑りやすい材料で構成した滑動部を設ければよい。
【００１４】
なお、本発明において、前方とは、このマウスを把持する操作者の指先に向かう方向を指す。
【００１５】
【発明の実施の形態】
以下に本発明の一実施形態について述べる。
【００１６】
本実施形態に係るマウスＭは、斜視図を図１、平面図を図２、側面図を図３、正面図を図４、背面図を図５、底面図を図６に示すように、入力操作部たるボタン１１、１２、及びホイール１３を前部に有する本体１と、本体の下端部から前後左右に広がるシート状をなす手置き部２と、マウスの移動方向を光学的に読み取るように構成した移動方向検知部３と、図示しない情報処理装置に接続するためのケーブル４とを具備する。なお、ここで正面とは、操作者に向かう方向を指す。
【００１７】
より具体的には、図１、図２、及び図３に示すように、楕円形のシート状をなす前記手置き部２の略中心部から前記本体１を起立して設けるとともに、本体１の上部に突出部１ａを前方に突出させて設けている。また、図１、図２、及び図５に示すように、この突出部１ａの前端部の幅方向中央部に前記ホイール１３、このホイール１３を挟んで左右にボタン１１、１２を配置している。また、この突出部１ａの前端部は、前方に向かって細くなっていく形状にしている。そして、図１、図３、及び図５に示すように、これらボタン１１、１２を有する前記突出部１ａの下方に指を入れることのできる空間Ｓを形成している。そして、前記ボタン１１、１２は、指を下に押し下げるか、又は指を手前に引いて操作することができるようにしている。
【００１８】
一方、前記手置き部２は、図６、及び、図４の前記手置き部２を本体１の手前の部分で縦方向に切断した状態の図である図７に示すように、軟質材料、本実施形態ではウレタンにより構成した軟質層２１と、より剛性の高い材料により構成した芯材層２２とを有する。そして、手に当たる面である手置き面２ａを軟質層２１により構成するとともに、軟質層２１の下方及び側方に芯材層２２を配置している。また、略中央部に下方に向かって開口する開口部２ｘを設けていて、後述するように移動方向検知部３をこの開口部２ｘの上方に設けている。さらに、前記開口２ｘの前方及び側方の部分には、滑りやすい材料、本実施形態では四フッ化エチレン樹脂により構成した滑動部２３を芯材層２２のさらに下方に設けている。そして、滑動部２３の下面２３ｂを机の天板等の板面に当てて使用するようにしている。
【００１９】
また、移動方向検知部３は、図５に示すように本体１の内部であって前記手置き部２に設けた開口部２ｘの上方の部位に配置した移動方向検知部本体３１と、本体１の内部に設けた図示しない移動方向計算回路とを有し、本実施形態では光学式マウスとして周知のものと同様に構成している。すなわち、移動方向検知部本体３１をＣＭＯＳイメージセンサを用いて構成し、天板の映像を検知するとともに、前記移動方向計算回路によりマウスＭの移動方向を計算し、接続先の図示しない情報処理装置にマウスＭの移動方向を知らせるようにしている。
【００２０】
しかして、本実施形態では、前記手置き部２に手を載せたままマウスＭを移動させることができるようにしている。
【００２１】
さらに、前記手置き部２は、手首と、親指の外側の部分と、小指の外側の部分とを、図２に示す手置き面２ａの斜線で示した部分に載せることができるようにしている。より具体的には、前記手置き部２は、前記手置き面２ａの手前の領域に設定され、手首を載せ置く手首置き領域２ａ１と、手の指を載せ置く指置き領域２ａ２とからなる。さらに、指置き領域２ａ２は、前記手置き面の一側端部の領域に設定され、親指の外側の部分を載せ置く第１指載せ領域２ａ３と、前記手置き面の他側端部の領域に設定され、小指の外側の部分を載せ置く第２指載せ領域２ａ４とからなる。なお、図２の斜線は、このマウスＭを右手で操作する場合に対応しているが、このマウスＭは本実施形態では左右対称であるので、左手で操作する場合もまた、手首と、親指の外側の部分と、小指の外側の部分とを、手置き面２ａに載せることができる。この場合、第１指載せ領域２ａ２と第２指載せ領域２ａ３とは左右が逆になる。さらに、本実施形態では前記手置き部２が可撓性を有するようにしている。
【００２２】
そして、前記手置き部２に手首を載せた状態で、人差し指と中指とをボタン１１、１２に掛けるようにし、この状態のまま手を水平方向に移動させ、つれてマウスＭを移動させるようにしている。
【００２３】
このように構成することにより、手を天板で擦るようなことがなくなるので、長期間使いつづけてタコができるようなことを防ぐことができる。
【００２４】
また、シート状をなす手置き部２から本体１を起立して配置するようにしているので、手置き部２の構造を簡単なものにできる。
【００２５】
さらに、手置き面２ａを軟質材料で構成しているので、この手置き面２ａはマウスＭを持つ姿勢に追随して変形し、マウスＭを持つ姿勢に関らずこの手置き部２が手を手置き面２ａで支えるようにして、このマウスＭを使いやすくできるとともに感触を軟らかいものにできる。そして、このような手置き部２により手首に係る負荷を吸収させて、腱鞘炎の発生を効果的に抑えるようにもできる。そして、手置き面に指置き領域２ａ２を設定しているので、この指置き領域２ａ２と指との間の摩擦力を利用して、マウスをグリップしなくてもマウスを移動させることができる。
【００２６】
また、前記手置き部２が可撓性を有するので、一部を浮かせた状態でも安定して使用できる。さらに、前記滑動部２３を移動方向検知部３を除く略全域に設けてあれば、どの使用状態でも滑らかにマウスＭを移動させることができる。
【００２７】
加えて、移動方向検知部３の周辺に四フッ化エチレン樹脂により構成した滑動部２３を設けているので、このマウスＭを、手首等に余分な力を入れることなく天板上を滑らせて移動させやすくできる。
【００２８】
一方、本体１の突出部１ａを前方に向かって細くなる形状としているとともに、前方にボタン１１、１２及びホイール１３を設けているので、使用者の好みの位置に指を位置させてこれらボタン１１、１２やホイール１３を操作できる。
【００２９】
そして、前記突出部１ａと前記手置き部２との間には指を入れることのできる空間Ｓを形成しているので、手の大きさに関わらずマウスＭを快適に扱うことができる。
【００３０】
加えて、指を手前に引くことによりボタン１１、１２を操作できるので、前記空間Ｓに指を入れた状態でもマウスＭを楽に操作することができる。
【００３１】
なお、本発明は上述した実施の形態に限られない。
【００３２】
例えば、本体の形状を従来のマウスと同様なものとしてその下方に手置き部を設けるようにしてもよい。このようなものであっても、手を天板で摺るようなことがなくなる効果は確保できる。また、ボタンの下方に空間を設けない構成のものであっても、前方に向かって細くなる形状であれば、指を広げなくともボタンに手を掛けることのできる効果は確保できる。一方、前方に向かって細くなる形状でなくても、ボタンの下方に空間を設けているものであれば、手の大きさに関わらずマウスを快適に扱うことができる効果は確保できる。
【００３３】
また、手置き部はシート状のものでなくてもよい。例えば、板状のものにより手置き部を構成してもよいし、マウスに手を置くことのできるくぼみを設けて、このくぼみの内側を本体、くぼみの部分を手置き部として構成するような態様も考えられる。
【００３４】
さらに、入力操作部は前方に設ける必要はなく、例えば左右両側面にボタンを配置するような態様も考えられる。
【００３５】
加えて、移動方向検知部はボール式マウスとして周知のものに用いられているものと同様に構成してもよい。
【００３６】
その他、本発明の趣旨を損ねない範囲で、種々に変更してよい。
【００３７】
【発明の効果】
本発明は、マウスに手置き部を設けるとともに、前記手置き部に手を載せたままマウスを移動させるようにしているので、より自然な姿勢でマウスを保持できるとともに、机の天板などで手や手首を擦らないようにでき、タコや腱鞘炎を発生しにくくできる。
【図面の簡単な説明】
【図１】本発明の一実施形態に係るマウスの斜視図。
【図２】同実施形態に係るマウスの平面図。
【図３】同実施形態に係るマウスの側面図。
【図４】同実施形態に係るマウスの正面図。
【図５】同実施形態に係るマウスの背面図。
【図６】同実施形態に係るマウスの底面図。
【図７】図４の手置き部を本体の手前の部分で縦方向に切断した状態を示す図。
【符号の説明】
Ｍ…マウス
１…本体
１１、１２…ボタン（入力操作部）
１ａ…突出部
２…手置き部
２ａ…手置き面
２３…滑動部
３…移動方向検知部
【図１】
2004029865.tif 000003
【図２】
2004029865.tif 000004
【図３】
2004029865.tif 000005
【図４】
2004029865.tif 000006
【図５】
2004029865.tif 000007
【図６】
2004029865.tif 000008
【図７】
2004029865.tif 000009
【手続補正書】
【提出日】平成15年8月22日(2003.8.22)
【手続補正１】
【補正対象書類名】明細書
【補正対象項目名】００１８
【補正方法】変更
【補正の内容】
【００１８】
一方、前記手置き部２は、図６、及び、図４の前記手置き部２を本体１の手前の部分で縦方向に切断した状態の図である図７に示すように、軟質材料、本実施形態ではウレタンにより構成した軟質層２１と、より剛性の高い材料により構成した芯材層２２とを有する。そして、手に当たる面である手置き面２ａを軟質層２１により構成するとともに、軟質層２１の下方及び側方に芯材層２２を配置している。また、略中央部に下方に向かって開口する開口部２ｘを設けていて、後述するように移動方向検知部３をこの開口部２ｘの上方に設けている。さらに、前記開口部２ｘの前方及び側方の部分には、滑りやすい材料、本実施形態では四フッ化エチレン樹脂により構成した滑動部２３を芯材層２２のさらに下方に設けているとともに、滑動部２３の下面２３ｂを机の天板等の板面に当てて使用するようにしている。


【手続補正２】
【補正対象書類名】明細書
【補正対象項目名】００２１
【補正方法】変更
【補正の内容】
【００２１】
さらに、前記手置き部２は、手首と、親指の外側の部分と、小指の外側の部分とを、図２に示す手置き面２ａの斜線で示した部分に載せることができるようにしている。より具体的には、前記手置き部２は、前記手置き面２ａの手前の領域に設定され、手首を載せ置く手首置き領域２ａ１と、手の指を載せ置く指置き領域２ａ２とからなる。さらに、指置き領域２ａ２は、前記手置き面の一側端部の領域に設定され、親指の外側の部分を載せ置く第１指載せ領域２ａ３と、前記手置き面の他側端部の領域に設定され、小指の外側の部分を載せ置く第２指載せ領域２ａ４とからなる。なお、図２の斜線は、このマウスＭを右手で操作する場合に対応しているが、このマウスＭは本実施形態では左右対称であるので、左手で操作する場合もまた、手首と、親指の外側の部分と、小指の外側の部分とを、手置き面２ａに載せることができる。この場合、第１指載せ領域２ａ３と第２指載せ領域２ａ４とは左右が逆になる。さらに、本実施形態では前記手置き部２が可撓性を有するようにしている。